(57)【要約】【課題】  様々な種類の印刷媒体にわたって及び／又は化学的、物理的に異なる複数の領域を有する印刷媒体において、改善された印刷品質をもたらすインクジェットインクを提供する。【解決手段】  本発明のインクジェットインクは、第１顔料分散物と第２顔料分散物を含有し、それらの顔料は、光沢印刷媒体上に付着すると分域するよう調合されている。第１及び第２顔料分散物各々の顔料は、粒子径、粒子形態、及び分散様式のうち少なくとも１つが異なっている。【選択図】なし【特許請求の範囲】
【請求項１】
様々な種類の印刷媒体にわたって改善された印刷品質を呈すインクジェットインクであって、
第１顔料分散物と第２顔料分散物であって、前記第１顔料分散物中の顔料と前記第２顔料分散物中の顔料とが、光沢のある印刷媒体上に付着する際に分域するよう調合されている、第１及び第２顔料分散物と、
インクビヒクルと、
を含む、インクジェットインク。
【請求項２】
様々な種類の印刷媒体にわたって印刷品質の改善をもたらす方法であって、
第１顔料分散物と第２顔料分散物を含むインクジェットインクを印刷媒体に適用するステップを包含し、前記第１顔料分散物中の顔料と前記第２顔料分散物中の顔料とが、光沢のある印刷媒体上に付着する際に分域するよう調合されている、方法。
【請求項３】
複数の領域を有する普通紙上で改善された印刷品質を呈すインクジェットインクであって、
第１顔料分散物と第２顔料分散物であって、前記第１顔料分散物が前記普通紙の第１領域と相互作用するよう調合され、且つ前記第２顔料分散物が前記普通紙の第２領域と相互作用するよう調合されている、第１及び第２顔料分散物と、
インクビヒクルと、
を含む、インクジェットインク。
【請求項４】
複数の領域を有する普通紙上で印刷品質の改善をもたらす方法であって、
第１顔料分散物と第２顔料分散物とを含むインクジェットインクを印刷媒体に適用するステップを包含し、前記第１顔料分散物が前記普通紙の第１領域と相互作用するよう調合されており、且つ前記第２顔料分散物が前記普通紙の第２領域と相互作用するよう調合されている、方法。
【請求項５】
前記第１顔料分散物中の顔料及び前記第２顔料分散物中の顔料の各々が、カーボンブラック、有機顔料、ホワイト無機顔料、カラー無機顔料、又はそれらの混合物から成る群から選択される、請求項１〜４の何れか１項に記載のインクジェットインク及び方法。
【請求項６】
前記第１顔料分散物中の顔料及び前記第２顔料分散物中の顔料の各々が、異なる粒径、異なる粒子形態、及び異なる分散様式の少なくとも１つを有する、請求項１、２及び５の何れか１項に記載のインクジェットインク及び方法。
【請求項７】
前記第１顔料分散物中の顔料及び前記第２顔料分散物中の顔料の各々が、自己分散性顔料及びポリマー結合型顔料から成る群から選択される、請求項１、２、５及び６の何れか１項に記載のインクジェットインク及び方法。
【請求項８】
前記第１顔料分散物中の顔料がポリアクリレートにより分散され、且つ前記第２顔料分散物中の顔料がスルホン酸塩により分散される、請求項１、２及び５〜７の何れか１項に記載のインクジェットインク及び方法。
【請求項９】
前記第１顔料分散物中の顔料及び前記第２顔料分散物中の顔料が１ｎｍ〜３００ｎｍの範囲の粒径を有し、且つ前記第１顔料分散物中の顔料の前記第２顔料分散物中の顔料に対する粒径の比が３：１より大きい、請求項１、２及び５〜８の何れか１項に記載のインクジェットインク及び方法。
【請求項１０】
前記第１顔料分散物中の顔料が粒径１５０ｎｍのカーボンブラックであり、且つ前記第２顔料分散物中の顔料が粒径３０ｎｍのカーボンブラックである、請求項１、２及び５〜９の何れか１項に記載のインクジェットインク及び方法。
【請求項１１】
前記第１顔料分散物中の顔料が球状形態であり、且つ前記第２顔料分散物中の顔料が大きいアスペクト比を有する、請求項１、２及び５〜１０の何れか１項に記載のインクジェットインク及び方法。
【請求項１２】
前記第１顔料分散物と前記第２顔料分散物とが、１：１〜９：１の範囲の比で存在する、請求項１、２及び５〜１１の何れか１項に記載のインクジェットインク及び方法。
【請求項１３】
前記第１顔料分散物中の顔料と前記第２顔料分散物中の顔料とが、異なる様式で分散している、請求項３〜５の何れか１項に記載のインクジェットインク及び方法。
【請求項１４】
前記第１顔料分散物及び前記第２各々の顔料分散物が、セルロース領域、サイジング剤領域、及び炭酸カルシウム領域から成る群から選択される領域と相互作用するよう調合されている、請求項３〜５及び１３の何れか１項に記載のインクジェットインク及び方法。
【請求項１５】
前記第１領域がセルロース領域であり、且つ前記第２領域が炭酸カルシウム領域である、請求項３〜５、１３及び１４の何れか１項に記載のインクジェットインク及び方法。
【請求項１６】
前記第１顔料分散物中の顔料及び前記第２顔料分散物中の顔料が、ポリマー結合型顔料を含む、請求項３〜５及び１３〜１５の何れか１項に記載のインクジェットインク及び方法。
【請求項１７】
前記第１顔料分散物中の顔料が、サッカリド、アミド、及びそれらのポリマー、によって修飾されている、請求項３〜５及び１３〜１６の何れか１項に記載のインクジェットインク及び方法。
【請求項１８】
前記第１顔料分散物が、アニオン変性ポリエチレンイミン又はペンタエチレンヘキサミンを含む、請求項３〜５及び１３〜１７の何れか１項に記載のインクジェットインク及び方法。
【請求項１９】
前記第２顔料分散物が、顔料に結合しているポリアクリレートを含む、請求項３−５及び１３〜１８の何れか１項に記載のインクジェットインク及び方法。
【請求項２０】
前記第１顔料分散物と前記第２顔料分散物が、１：４〜４：１の範囲の比率で存在する、請求項３〜５及び１３〜１９の何れか１項に記載のインクジェットインク及び方法。
【発明の詳細な説明】
【技術分野】
【０００１】
本発明は、顔料系インクジェットインクに関し、より詳細には、様々な種類の印刷媒体上で又は化学的及び物理的に異なる領域を有する印刷媒体上で、改善された印刷品質を呈す顔料系インクジェットインクに関する。
【背景技術】
【０００２】
インクジェットインクに典型的に使用される着色剤として、染料や顔料が挙げられる。染料は、より一般的にインクジェットインクに使用されているが、染料系インクジェットインクで印刷された画像は、多くの場合、顔料系インクジェットインクで印刷された画像よりも、耐水性、耐光性、及び耐オゾン性の点で劣る。しかしながら、顔料は、典型的に、インクジェットインクのインクビヒクルに不溶性であり、それらがインクジェットインク中で安定化されない場合には、凝集、即ちアグロメレート（集塊）する、不連続な粒子を形成する。顔料の集塊、即ちインクビヒクルからの沈殿を防止するために、当該顔料は、インクジェットインク中に均一に分散されており、且つ当該インクジェットインクが印刷に供されるまでは、分散状態で安定化されている。当該顔料は、典型的に、安定性、光沢、光学濃度（「ＯＤ」）等のような性能に基づいて選択される粒径分布にて、インクジェットインク中に存在する。
【０００３】
非共有性相互作用によって顔料粒子をインクビヒクル中に分散させるために、高分子分散剤が用いられる。当該高分子分散剤は、顔料表面に結合し、顔料の分散を安定化する。あるいはまた、高分子基、イオン基、又は有機基などの可溶性部分を顔料表面に共有結合させ修飾することによって、顔料粒子をインクビヒクル中に分散させることもできる。表面修飾された顔料、即ち自己分散性顔料は、顔料の化学的、物理的多様性の潜在範囲を広げる。
【０００４】
第１顔料、第２顔料、及びベンジルメタクリレート高分子分散剤を含んで成るインクジェットインクが既に開示されている。当該インクジェットインクは、均一、高密度且つ適切なドットサイズのインクドットを形成する。第１顔料は、その表面にアニオン基が結合している自己分散性顔料であり、一方、第２顔料は、高分子分散剤によって分散されている。
【０００５】
良好な発色を示すインクジェットインクも既に開示されている。当該インクジェットインクは、第１着色剤及び第２着色剤を含んで成る。第１着色剤は、その表面にカルボキシ基、カルボニル基、ヒドロキシ基、又はスルホン基が結合しており、分散剤無しで水に分散又は溶解し得る第１の顔料である。第２着色剤は、インクビヒクル中に、高分子分散剤又は界面活性剤などの分散剤が存在することを必要とする顔料である。
【０００６】
インクジェットインクは、普通紙印刷媒体（「普通紙」）又は特殊印刷媒体のような、広範な印刷媒体上に印刷される。特殊印刷媒体としては、多孔質印刷媒体や湿潤性印刷媒体のような、光沢印刷媒体及び透明紙が挙げられる。各種印刷媒体は、様々なエンドユーザに向くよう最適化されており、従って、多様な化学的、物理的性質を有する。それ故、顔料系インクジェットインクの分散剤成分（又は化学的分散様式）及び粒径を最適化することで、様々な種類の印刷媒体にわたって許容し得る印刷品質を達成する試みがなされてきた。しかしながら、様々な種類の印刷媒体にわたって許容し得る印刷品質を達成するために、個々の印刷媒体に関してみた場合には、その性能に妥協がなされている。従って、インクジェットインクは、様々な印刷媒体にわたって許容し得る印刷品質をもたらすとはいえ、各々の印刷媒体に関して最適な印刷品質をもたらすものではない。加えて、これらの種々の印刷媒体の全てにおいて最適な性能を呈す顔料粒径分布を実際に用いることは困難である。
【０００７】
例えば、普通紙上での印刷画像のＯＤを高めるにあたっては、顔料系ブラックインクジェットインクに使用される顔料は、典型的に、高構造（ｈｉｇｈ  ｓｔｒｕｃｔｕｒｅ）、高い集塊速度、及び大きい凝集粒径を有することになろう。本明細書において用いるとき、用語「高構造」とは、ＩＳＯ４６５６又は同様の試験方法で、約１００ｍｌ／１００ｇより大きいフタル酸ジブチル吸収値（「ＤＢＰ値」）を有する顔料を意味する。対照的に、「低構造（ｌｏｗ  ｓｔｒｕｃｔｕｒｅ）」とは、約４０ｍｌ／１００ｇ〜約７０ｍｌ／１００ｇの範囲のＤＢＰ値を有する顔料を意味する。しかしながら、上述の顔料系ブラックインクジェットインクを光沢印刷媒体上に印刷すると、形成される印刷画像は、不十分な光沢、大きい表面粗さ、及び低い耐久性を呈すことになろう。
【０００８】
化学的、物理的な差異は、個々の種類の印刷媒体の中にも存在する。例えば、低コストの普通紙、特にリサイクル材料を多く含む普通紙には、化学的、物理的に異なる複数の領域が存在する。当該領域のサイズは約１ミクロン〜約数百ミクロンであり、当該領域には、セルロース領域、サイジング剤領域、及び炭酸カルシウムなどの無機顔料領域が含まれる。サーマルインクジェットプリンタ及び圧電インクジェットプリンタに関する現行の液滴容量では、これらの領域と同じ大きさのドットサイズがもたられる。それ故、インクジェットインクを印刷媒体に適用すると、当該インクジェットインクは、それが遭遇する領域に応じて様々な環境に曝される。当該領域の各々は、印刷媒体のその他の部分と比較すると、異なる化学的、物理的性質を有するため、インクジェットインクは当該領域と特異的に相互作用する。
【０００９】
顔料はまた、塗装産業においても広く使用されている。所望の塗装色を得るには、典型的に、多数の顔料分散物を組み合わせる。しかしながら、少なくとも２つの顔料分散物を使用すると、それら顔料が互いに分離することがあり、これは、フローティング（ｆｌｏａｔｉｎｇ）又はフラッディング（ｆｌｏｏｄｉｎｇ）として知られている望ましくない現象である。フローティングは、塗料適用後の顔料の不均一な分布を意味し、適用済塗料膜の斑点、滲み、又は縞といった変色に帰着する。フローティングは、塗料に様々な粒径の顔料を使うことにより、あるいは２種以上の顔料を使うことにより、あるいは種々の凝集速度を有する顔料を用いることにより、あるいは表面張力、密度もしくは温度の勾配によって引き起こされるものである。フラッディングは、均一な色の塗料膜を生ずるが、塗料膜における顔料の異なる沈殿速度に起因してコーティング厚み方向にわたって色の変化が起こる。顔料の沈殿速度は、顔料の寸法、密度、形状、又は凝集率の差異に依存する。フローティング又はフラッディングを防ぐために、塗料には、抗フローティング添加剤及び抗フラッディング添加剤が添加されている。
【発明の開示】
【発明が解決しようとする課題】
【００１０】
本発明は、様々な種類の印刷媒体にわたって及び／又は複数の領域を有する印刷媒体上で改善された印刷品質をもたらすインクジェットインク、方法を提供することを課題とする。
【課題を解決するための手段】
【００１１】
本発明は、様々な種類の印刷媒体にわたって改善された印刷品質を呈すインクジェットインクに関する。当該インクジェットインクは、第１顔料分散物と第２顔料分散物を含み、この場合、第１顔料分散物中の顔料と第２顔料分散物中の顔料は、光沢のある印刷媒体上に付着する際に分域するよう調合されている。当該インクジェットインクはまた、インクビヒクルも含有する。
【００１２】
本発明はまた、様々な種類の印刷媒体にわたって改善された印刷品質をもたらす方法にも関連する。当該方法は、第１顔料分散物と第２顔料分散物を含むインクジェットインクを印刷媒体に適用するステップを包含し、この場合、第１顔料分散物中の顔料と第２顔料分散物中の顔料は、光沢のある印刷媒体上に付着する際に分域するよう調合されている。
【００１３】
本発明はまた、複数の領域をもつ普通紙上で改善された印刷品質を呈すインクジェットインクにも関連する。当該インクジェットインクは、第１顔料分散物と第２顔料分散物を含み、この場合、第１顔料分散物は、普通紙の第１領域と相互作用するよう調合されており、第２顔料分散物は、普通紙の第２領域と相互作用するよう調合されている。当該インクジェットインクはまた、インクビヒクルも含有する。
【００１４】
本発明はまた、複数の領域をもつ普通紙上において改善された印刷品質をもたらす方法にも関連する。当該方法は、第１顔料分散物と第２顔料分散物を含むインクジェットインクを印刷媒体に適用するステップを包含し、この場合、第１顔料分散物は、普通紙の第１領域と相互作用するよう調合され、そして第２顔料分散物は、普通紙の第２領域と相互作用するよう調合されている。
【発明の効果】
【００１５】
本発明によれば、様々な種類の印刷媒体にわたって及び／又は複数の領域を有する印刷媒体上で改善された印刷品質をもたらすインクジェットインク、方法を提供することができる。
【発明を実施するための最良の形態】
【００１６】
普通紙及び光沢印刷媒体などの多くの種類の印刷媒体にわたって、印刷品質の改善、向上をもたらすインクジェットインクを提供する。また、化学的、物理的に異なる複数の領域を有する印刷媒体において、向上した印刷品質を呈すインクジェットインクも開示する。本明細書で用いるとき、用語「印刷品質」とは、印刷画像の光沢、耐久性、及びＯＤのうち少なくとも１つを意味する。当該インクジェットインクはまた、比較的短い乾燥時間、低いフェザリング（ｆｅａｔｈｅｒｉｎｇ、画線部の周囲に短いひげ状に発生したインクのはみ出し）、及び低いウィッキング（ｗｉｃｋｉｎｇ）を示し得る。
【００１７】
当該インクジェットインクは、少なくとも２つの異なる、即ち異類の顔料分散物を含有する。本明細書で用いるとき、用語「異なる顔料分散物」とは、特定の顔料が、異なる、即ち異類の様式で各々の顔料分散物中に分散している顔料分散物、又は異なる、即ち異類の顔料が同じ様式で各々の顔料分散物中に分散している顔料分散物、又は異なる、即ち異類の顔料が異類の様式で各々の顔料分散物中に分散している顔料分散物を意味する。換言すれば、各顔料分散物は、異なるコロイド安定性を有し得る。
【００１８】
当該インクジェットインクを光沢印刷媒体に適用する際、一実施形態では、各々の顔料分散物に使用される顔料が、別々に分域又は析出して、光沢のある印刷媒体上で高い印刷品質をもたらすことができる。当該インクジェットインクを普通紙に適用する場合は、良好な印刷品質もまた得られる。当該インクジェットインクは、ここでは２つの顔料分散物を含むものとして説明しているが、２つより多い顔料分散物を含有することもできる。
【００１９】
各々の顔料分散物における顔料は、自己分散性顔料又はポリマー結合型顔料である。本明細書で用いるとき、用語「自己分散性顔料」とは、インクジェットインク中に第１顔料を分散させ得る少なくとも１つのイオン基又は低分子量の有機基がその表面に共有結合している顔料を意味する。自己分散性顔料は、当分野で既知であり、顔料表面には、カルボキシ基、カルボニル基、ヒドロキシ基、又はスルホン基を共有結合させ得る。
【００２０】
本明細書で用いるとき、用語「ポリマー結合型顔料」とは、インクジェットインク中に第２顔料を分散させ得る高分子基がその表面に共有結合している顔料を意味する。ポリマー結合型顔料は、当分野で既知であり、限定はしないが、ポリカルボキシレート、ポリビニルアルコール（ＰＶＡ）、ポリアルキレンオキシド（例えば、ポリエチレンオキシド（ＰＥＯ））、ポリアミド、又はポリエチレンイミン（ＰＥＩ）が表面に結合した顔料を挙げることができる。顔料表面に結合させるポリマーには、ポリエステル、ポリエステルメラミン、スチレン−アクリル酸コポリマー、スチレン−マレイン酸コポリマー、スチレン−マレイン酸−アルキルアクリレートコポリマー、スチレン−メタクリル酸コポリマー、スチレン−メタクリル酸−アルキルアクリレートコポリマー、スチレン−マレイン酸半エステルコポリマー、ビニルナフタレン−アクリル酸コポリマー、ビニルナフタレン−マレイン酸コポリマー、及びそれらの塩を用いることもできる。他のポリマーとして、ポリビニルイミダゾール、ポリビニルイミダゾール誘導体、ビニルイミダゾールコポリマー、ビニルイミダゾール誘導体コポリマー、ポリビニルピリジン、ポリビニルピリジン誘導体、ビニルピリジンコポリマー、ビニルピリジン誘導体コポリマー、ポリエチレンイミン誘導体、及びそれらの混合物が挙げられる。当該ポリマーの例として、ジョンソンポリマー社（米国ウィスコンシン州スターテヴァント）から入手可能なＪｏｎｃｒｙｌ（登録商標）樹脂、ハンツマンペトロケミカル社（米国テキサス州ヒューストン）から入手できるＪｅｆｆａｍｉｎｅ（登録商標）樹脂がある。このように、第１及び第２顔料は、追加の未結合高分子分散剤を用いなくともインクジェットインク中に分散させることができる。単なる例示として挙げれば、第１顔料分散物中の第１顔料には自己分散性顔料を用い、第２顔料分散物中の第２顔料にはポリマー結合型顔料を用いることができる。
【００２１】
第１顔料分散物と第２顔料分散物は、インクジェットインク中に約１：１〜約９：１の範囲の比率で存在させ得る。一実施形態において、第１顔料分散物と第２顔料分散物は、４：１の比率で存在する。
【００２２】
様々な種類の印刷媒体にわたって改善された印刷品質をもたらすため、インクジェットインク中の各々の顔料分散物は、少なくとも１つの種類の印刷媒体上で改善された印刷品質をもたらすよう調合することができる。単なる例示として挙げれば、第１顔料分散剤は、普通紙上での性能を最適化するよう調合することができ、第２顔料分散物は、光沢印刷媒体上での性能を最適化するよう調合することができる。普通紙の例としては、限定はしないが、Ｇｉｌｂｅｒｔ  Ｂｏｎｄ、Ｇｅｏｒｇｉａ−Ｐａｃｉｆｉｃ  Ｍｕｌｔｉ−Ｓｙｓｔｅｍ（登録商標）、Ａｕｓｓｅｄａｔ−Ｒｅｙ−Ｒｅｙｍａｔ、Ｃｈａｍｐｉｏｎ  ＤａｔａＣｏｐｙ、Ｅｎｓｏ−Ｇｕｔｚｅｉｔ  Ｂｅｒｇａ  Ｌａｓｅｒ、Ｈａｍｍｅｒｍｉｌｌ（登録商標）Ｆｏｒｅ  ＤＰ、Ｈｏｎｓｈｕ  Ｎｅｗ  Ｙａｍａｙｕｒｉ、Ｈｏｋｕｅｓｔｓｕ  ｋｉｎ−Ｍａｒｉ、ＫｙｍＣｏｐｙ  Ｌｕｘ、ＭｏＤｏ  ＤａｔａＣｏｐｙ、Ｎｅｅｎａｈ  Ｃｌａｓｓｉｃ  Ｌａｉｄ、Ｏｊｉ  Ｓｕｎａｃｅ  ＰＰＣ、Ｓｔｏｒａ  Ｐａｐｙｒｕｓ  ＭｕｌｔｉＣｏｐｙ、Ｕｎｉｏｎ  Ｃａｍｐ  Ｇｒｅａｔ  Ｗｈｉｔｅ（登録商標）、Ｗｅｙｅｒｈａｕｓｅｒ  Ｆｉｒｓｔ  Ｃｈｏｉｃｅ（登録商標）、及びＷｉｇｇｅｎｓ  Ｔｅａｐｅ  Ｃｏｎｑｕｅｒｏｒ（登録商標）が挙げられる。光沢印刷媒体には、インクジェット写真紙のような多孔質印刷媒体又は湿潤性印刷媒体を用いることができる。光沢印刷媒体の例としては、限定はしないが、ＨＰプレミアム光沢紙、Ｅｐｓｏｎフォト用紙、Ｐｉｃｔｏｒｉｃｏプレミアムフォト光沢紙、Ａｇｆａ光沢フォトインクジェット用紙、Ｋｏｎｉｃａフォトインクジェット用紙、Ｃａｎｏｎ光沢フォト用紙、Ｈａｍｍｅｒｍｉｌｌ（登録商標）Ｊｅｔｐｒｉｎｔ  Ｕｌｔｒａ  Ｇｌｏｓｓ、Ｐｏｌａｒｏｉｄインクジェット用紙、及びＫｏｄａｋインクジェットフォト品質フォト重量紙がある。
【００２３】
本発明のインクジェットインクを普通紙及び光沢印刷媒体の両方の上に印刷する場合、画像の平均印刷品質は、１つの顔料分散物を含有するインクジェットインクを用いて印刷した画像の印刷品質と比較して、改善することができる。そのように、２つの顔料分散物は、インクジェットインクに比較的大きい柔軟性（適応性）を賦与することができ、当該インクジェットインクを用いることによって、様々な種類の印刷媒体にわたって改善された印刷品質をもたらすことが可能となる。
【００２４】
各々の顔料分散物には、カーボンブラック、有機顔料、ホワイト無機顔料、カラー無機顔料、又はそれらの混合物などの、在来の顔料を用いることができる。当該顔料は、ブルー、ブラック、ブラウン、シアン、グリーン、ホワイト、バイオレット、マゼンタ、レッド、又はイエロー顔料などの、ブラック顔料又はカラー顔料とし得る。加えて、ブラック顔料とカラー顔料との混合物、並びにカラー顔料の混合物を、当該インクジェットインクに用いることもできる。無機顔料としては、限定はしないが、酸化鉄、酸化チタン、酸化亜鉛、硫化亜鉛、クロム酸亜鉛、酸化ジルコニウム、紺青、ウルトラマリンブルー、酸化クロム、ウルトラマリン、コバルトブルー、コバルトバイオレット、二酸化ケイ素、酸化ニッケル、酸化アルミニウム、鉄フェロシアン化物（プルシアンブルー）、クロム酸鉛、鉛白、塩基性硫酸鉛、カドミウムイエロー、クロムイエロー、硫酸バリウム、炭酸カルシウム、ケイ酸カルシウム、及びマンガンバイオレットが挙げられる。
【００２５】
当該顔料には、チャネルブラック、ファーネスブラック、又はランプブラックなどのカーボンブラック顔料を用いることができる。カーボンブラックの例として、カボット社（米国マサチューセッツ州ボストン）から入手し得る、Ｒｅｇａｌ（登録商標）、Ｂｌａｃｋ  Ｐｅａｒｌｓ（登録商標）、Ｅｌｆｔｅｘ（登録商標）、Ｍｏｎａｒｃｈ（登録商標）、Ｍｏｇｕｌ（登録商標）、及びＶｕｌｃａｎ（登録商標）の商品名を付して販売されているものがある。当該カーボンブラックとしては、限定はしないが、Ｂｌａｃｋ  Ｐｅａｒｌｓ（登録商標）２０００、Ｂｌａｃｋ  Ｐｅａｒｌｓ（登録商標）１４００、Ｂｌａｃｋ  Ｐｅａｒｌｓ（登録商標）１３００、Ｂｌａｃｋ  Ｐｅａｒｌｓ（登録商標）１１００、Ｂｌａｃｋ  Ｐｅａｒｌｓ（登録商標）１０００、Ｂｌａｃｋ  Ｐｅａｒｌｓ（登録商標）９００、Ｂｌａｃｋ  Ｐｅａｒｌｓ（登録商標）８８０、Ｂｌａｃｋ  Ｐｅａｒｌｓ（登録商標）８００、Ｂｌａｃｋ  Ｐｅａｒｌｓ（登録商標）７００、Ｂｌａｃｋ  Ｐｅａｒｌｓ（登録商標）Ｌ、Ｅｌｆｔｅｘ（登録商標）８、Ｍｏｎａｒｃｈ（登録商標）１４００、Ｍｏｎａｒｃｈ（登録商標）１３００、Ｍｏｎａｒｃｈ（登録商標）１１００、Ｍｏｎａｒｃｈ（登録商標）１０００、Ｍｏｎａｒｃｈ（登録商標）９００、Ｍｏｎａｒｃｈ（登録商標）８８０、Ｍｏｎａｒｃｈ（登録商標）８００、Ｍｏｎａｒｃｈ（登録商標）７００、Ｍｏｇｕｌ（登録商標）Ｌ、Ｒｅｇａｌ（登録商標）３３０、Ｒｅｇａｌ（登録商標）４００、Ｖｕｌｃａｎ（登録商標）Ｐを挙げることができる。その他のカーボンブラックとして、限定はしないが、デグッサ社（米国ニュージャージー州リッジフィールド）から入手できる、Ｐｒｉｎｔｅｘ  ４０、Ｐｒｉｎｔｅｘ  ８０、Ｐｒｉｎｔｅｘ  ３００、Ｐｒｉｎｔｅｘ  Ｌ、Ｐｒｉｎｔｅｘ  Ｕ、Ｐｒｉｎｔｅｘ  Ｖ、Ｓｐｅｃｉａｌ  Ｂｌａｃｋ  ４、Ｓｐｅｃｉａｌ  Ｂｌａｃｋ  ５、ＦＷ１、ＦＷ２、ＦＷ１８、及びＦＷ２００；コロンビアンケミカル社（米国ジョージア州アトランタ）から入手できる、Ｒａｖｅｎ  ７８０、Ｒａｖｅｎ  ８９０、Ｒａｖｅｎ  １０２０、Ｒａｖｅｎ  １０４０、Ｒａｖｅｎ  １２５５、Ｒａｖｅｎ  １５００、Ｒａｖｅｎ  ５０００、Ｒａｖｅｎ  ５２５０；三菱化学社（東京）から入手できる、ＭＡ１００及びＭＡ４４０が挙げられる。
【００２６】
適切なカラー顔料の種類として、限定はしないが、アントラキノン、フタロシアニンブルー、フタロシアニングリーン、ジアゾ、モノアゾ、ピラントロン、ペリレン、ヘテロ環イエロー、キナクリドン、及び（チオ）インジゴイドが挙げられる。フタロシアニンブルーの例には、銅フタロシアニンブルー及びその誘導体（Ｐｉｇｍｅｎｔ  Ｂｌｕｅ  １５）が含まれる。キナクリドンの例には、Ｐｉｇｍｅｎｔ  Ｏｒａｎｇｅ  ４８、Ｐｉｇｍｅｎｔ  Ｏｒａｎｇｅ  ４９、Ｐｉｇｍｅｎｔ  Ｒｅｄ  １２２、Ｐｉｇｍｅｎｔ  Ｒｅｄ  １９２、Ｐｉｇｍｅｎｔ  Ｒｅｄ  ２０２、Ｐｉｇｍｅｎｔ  Ｒｅｄ  ２０６、Ｐｉｇｍｅｎｔ  Ｒｅｄ  ２０７、Ｐｉｇｍｅｎｔ  Ｒｅｄ  ２０９、Ｐｉｇｍｅｎｔ  Ｖｉｏｌｅｔ  １９及びＰｉｇｍｅｎｔ  Ｖｉｏｌｅｔ  ４２が含まれる。アントラキノンの例には、Ｐｉｇｍｅｎｔ  Ｒｅｄ  ４３、Ｐｉｇｍｅｎｔ  Ｒｅｄ  １９４（Ｐｅｒｉｎｏｎｅ  Ｒｅｄ）、Ｐｉｇｍｅｎｔ  Ｒｅｄ  ２１６（Ｂｒｏｍｉｎａｔｅｄ  Ｐｙｒａｎｔｈｒｏｎｅ  Ｒｅｄ）及びＰｉｇｍｅｎｔ  Ｒｅｄ  ２２６（Ｐｙｒａｎｔｈｒｏｎｅ  Ｒｅｄ）が含まれる。ペリレンの例には、Ｐｉｇｍｅｎｔ  Ｒｅｄ  １２３（Ｖｅｒｍｉｌｌｉｏｎ）、Ｐｉｇｍｅｎｔ  Ｒｅｄ  １４９（Ｓｃａｒｌｅｔ）、Ｐｉｇｍｅｎｔ  Ｒｅｄ  １７９（Ｍａｒｏｏｎ）、Ｐｉｇｍｅｎｔ  Ｒｅｄ  １９０（Ｒｅｄ）、Ｐｉｇｍｅｎｔ  Ｖｉｏｌｅｔ  １９、Ｐｉｇｍｅｎｔ  Ｒｅｄ  １８９（Ｙｅｌｌｏｗ  Ｓｈａｄｅ  Ｒｅｄ）及びＰｉｇｍｅｎｔ  Ｒｅｄ  ２２４が含まれる。チオインジゴイドの例には、Ｐｉｇｍｅｎｔ  Ｒｅｄ  ８６、Ｐｉｇｍｅｎｔ  Ｒｅｄ  ８７、Ｐｉｇｍｅｎｔ  Ｒｅｄ  ８８、Ｐｉｇｍｅｎｔ  Ｒｅｄ  １８１、Ｐｉｇｍｅｎｔ  Ｒｅｄ  １９８、Ｐｉｇｍｅｎｔ  Ｖｉｏｌｅｔ  ３６、及びＰｉｇｍｅｎｔ  Ｖｉｏｌｅｔ  ３８が含まれる。ヘテロ環イエローの例には、Ｐｉｇｍｅｎｔ  Ｙｅｌｌｏｗ  １、Ｐｉｇｍｅｎｔ  Ｙｅｌｌｏｗ  ３、Ｐｉｇｍｅｎｔ  Ｙｅｌｌｏｗ  １２、Ｐｉｇｍｅｎｔ  Ｙｅｌｌｏｗ  １３、Ｐｉｇｍｅｎｔ  Ｙｅｌｌｏｗ  １４、Ｐｉｇｍｅｎｔ  Ｙｅｌｌｏｗ  １７、Ｐｉｇｍｅｎｔ  Ｙｅｌｌｏｗ  ６５、Ｐｉｇｍｅｎｔ  Ｙｅｌｌｏｗ  ７３、Ｐｉｇｍｅｎｔ  Ｙｅｌｌｏｗ  ７４、Ｐｉｇｍｅｎｔ  Ｙｅｌｌｏｗ  ９３、Ｐｉｇｍｅｎｔ  Ｙｅｌｌｏｗ  １５１、Ｐｉｇｍｅｎｔ  Ｙｅｌｌｏｗ  １５４、Ｐｉｇｍｅｎｔ  Ｙｅｌｌｏｗ  １５５、Ｐｉｇｍｅｎｔ  Ｙｅｌｌｏｗ  １１７、Ｐｉｇｍｅｎｔ  Ｙｅｌｌｏｗ  １２８、Ｐｉｇｍｅｎｔ  Ｙｅｌｌｏｗ  １３８、Ｐｉｇｍｅｎｔ  Ｙｅｌｌｏｗ  １０９、Ｐｉｇｍｅｎｔ  Ｙｅｌｌｏｗ  １１０、及びＰｉｇｍｅｎｔ  Ｙｅｌｌｏｗ  ２１３が含まれる。これらの顔料は、バスフ社（米国ニュージャージー州マウトオリーブ）、エンゲルハルド社（米国ニュージャージー州イスリン）、チバ社（米国ニュージャージー州テリータウン）、クラリアント社（米国ロードアイランド州コベントリー）、又はサンケミカル社（米国オハイオ州シンシナティ）をはじめ、多数の発売元から粉末又は圧縮塊の状態で市販されている。
【００２７】
当該顔料には、クラリアント社（スイス国ムッテン）から入手できる、Ｈｏｓｔａｆｉｎｅ（登録商標）Ｙｅｌｌｏｗ  ＧＲ、Ｈｏｓｔａｆｉｎｅ（登録商標）Ｙｅｌｌｏｗ  、Ｈｏｓｔａｆｉｎｅ（登録商標）Ｒｅｄ  ＦＲＬＬ、Ｈｏｓｔａｆｉｎｅ（登録商標）Ｒｕｂｉｎｅ  Ｆ６Ｂ、Ｈｏｓｔａｆｉｎｅ（登録商標）Ｂｌｕｅ  ２Ｇ、Ｈｏｓｔａｆｉｎｅ（登録商標）Ｂｌａｃｋ  Ｔ及びＨｏｓｔａｆｉｎｅ（登録商標）Ｂｌａｃｋ  ＴＳなどのＨｏｓｔａｆｉｎｅ（登録商標）シリーズの顔料；Ｎｏｒｍａｎｄｙ  Ｍａｇｅｎｔａ  ＲＤ−２４００（ポール・ユーリッヒ（Ｐａｕｌ  Ｕｈｌｉｃｈ）社）、Ｐａｌｉｏｇｅｎ（登録商標）Ｖｉｏｌｅｔ  ５１００（バスフ社）、Ｐａｌｉｏｇｅｎ（登録商標）Ｖｉｏｌｅｔ  ５８９０（バスフ社）、Ｐｅｒｍａｎｅｎｔ  Ｖｉｏｌｅｔ  ＶＴ２６４５（ポール・ユーリッヒ社）、Ｈｅｌｉｏｇｅｎ  Ｇｒｅｅｎ  Ｌ８７３０（バスフ社）、Ａｒｇｙｌｅ  Ｇｒｅｅｎ  ＸＰ−１１１−Ｓ（ポール・ユーリッヒ社）、Ｂｒｉｌｌｉａｎｔ  Ｇｒｅｅｎ  Ｔｏｎｅｒ  ＧＲ  ０９９１（ポール・ユーリッヒ社）、Ｈｅｌｉｏｇｅｎ（登録商標）Ｂｌｕｅ  Ｌ  ６９００、Ｌ７０２０（バスフ社）、Ｈｅｌｉｏｇｅｎ（登録商標）Ｂｌｕｅ  Ｄ６８４０、Ｄ７０８０（バスフ社）、Ｓｕｄａｎ  Ｂｌｕｅ  ＯＳ（バスフ社）、ＰＶ  Ｆａｓｔ  Ｂｌｕｅ  Ｂ２ＧＯ１（アメリカン クラリアント社）、Ｉｒｇａｌｉｔｅ  Ｂｌｕｅ  ＢＣＡ（チバ社）、Ｐａｌｉｏｇｅｎ（登録商標）Ｂｌｕｅ  ６４７０（バスフ社）、Ｓｕｄａｎ  ＩＩＩ（Ｍａｔｈｅｓｏｎ，Ｃｏｌｅｍａｎ  ａｎｄ  Ｂｅｌｌ社）、Ｓｕｄａｎ  ＩＩ（Ｍａｔｈｅｓｏｎ，Ｃｏｌｅｍａｎ  ａｎｄ  Ｂｅｌｌ社）、Ｓｕｄａｎ  ＩＶ（Ｍａｔｈｅｓｏｎ，Ｃｏｌｅｍａｎ  ａｎｄ  Ｂｅｌｌ社）、Ｓｕｄａｎ  Ｏｒａｎｇｅ  Ｇ（アルドリッチ社）、Ｓｕｄａｎ  Ｏｒａｎｇｅ  ２２０（バスフ社）、Ｐａｌｉｏｇｅｎ（登録商標）Ｏｒａｎｇｅ  ３０４０（バスフ社）、Ｏｒｔｈｏ  Ｏｒａｎｇｅ  ＯＲ２６７３（ポール・ユーリッヒ社）、Ｐａｌｉｏｇｅｎ（登録商標）Ｙｅｌｌｏｗ  １５２，１５６０（バスフ社）、Ｌｉｔｈｏｌ  Ｆａｓｔ  Ｙｅｌｌｏｗ  ０９９１Ｋ（バスフ社）、Ｐａｌｉｏｔｏｌ  Ｙｅｌｌｏｗ  １８４０（バスフ社）、Ｎｏｖｏｐｅｒｍ（登録商標）Ｒｅｄ  ＢＮ（クラリアント社）、Ｎｏｖｏｐｅｒｍ（登録商標）Ｙｅｌｌｏｗ  ＦＧ  １（クラリアント社）、Ｐｅｒｍａｎｅｎｔ  Ｙｅｌｌｏｗ  ＹＥ  ０３０５（ポール・ユーリッヒ社）、Ｌｕｍｏｇｅｎ  Ｙｅｌｌｏｗ  Ｄ０７９０（バスフ社）、Ｓｕｃｏ−Ｇｅｌｂ  Ｌ  １２５０（バスフ社）、Ｓｕｃｏ−Ｙｅｌｌｏｗ  Ｄ  １３５５（バスフ社）、Ｈｏｓｔａｐｅｒｍ（登録商標）Ｐｉｎｋ  Ｅ（アメリカン クラリアント社）、Ｆａｎａｌ  Ｐｉｎｋ  Ｄ  ４８３０（バスフ社）、Ｃｉｎｑｕａｓｉａ  Ｍａｇｅｎｔａ（デュポン社）、Ｌｉｔｈｏｌ  Ｓｃａｒｌｅｔ  Ｄ  ３７００（バスフ社）、Ｔｏｌｕｉｄｉｎｅ  Ｒｅｄ（アルドリッチ社）、Ｓｃａｒｌｅｔ  ｆｏｒ  Ｔｈｅｒｍｏｐｌａｓｔ  ＮＳＤ  ＰＳ  ＰＡ（ユージン・クールマン オブ カナダ（Ｕｇｉｎｅ  Ｋｕｈｌｍａｎｎ  ｏｆ  Ｃａｎａｄａ）社）、Ｅ．Ｄ．Ｔｏｌｕｉｄｉｎｅ  Ｒｅｄ（アルドリッチ社）、Ｌｉｔｈｏｌ  Ｒｕｂｉｎｅ  Ｔｏｎｅｒ（ポール・ユーリッヒ社）、Ｌｉｔｈｏｌ  Ｓｃａｒｌｅｔ  ４４４０（バスフ社）、Ｂｏｎ  Ｒｅｄ    Ｃ（ドミニオンカラー（Ｄｏｍｉｎｉｏｎ  Ｃｏｌｏｒ）社）、Ｒｏｙａｌ  Ｂｒｉｌｌｉａｎｔ  Ｒｅｄ  ＲＤ−８１９２（ポール・ユーリッヒ社）、Ｏｒａｃｅｔ  Ｐｉｎｋ  ＲＦ（チバ社）、Ｐａｌｉｏｇｅｎ（登録商標）Ｒｅｄ  ３８７１Ｋ（バスフ社）、Ｐａｌｉｏｇｅｎ（登録商標）Ｒｅｄ  ３３４０（バスフ社）、及びＬｉｔｈｏｌ  Ｆａｓｔ  Ｓｃａｒｌｅｔ  Ｌ４３００（バスフ社）も含むことができる。
【００２８】
先述のように、インクジェットインクを光沢印刷媒体に適用する際に、顔料が別々に分域又は析出するよう、インクジェットインク中の各々の顔料分散物は、異なる、即ち異類のものとし得る。異類の顔料分散物を用いる場合、相対拡散速度、移動性、又は凝集速度などの拡散特性や性質は、顔料分散物の各々において異なるであろう。例えば、比較的小さい径の顔料は、比較的大きい径の顔料よりも移動し易いであろう。また、高構造を有する顔料は、１粒子当り等量のカーボンブラックから構成される低構造の粒子よりも、ゆっくりと拡散するであろう。これらの諸性質は、顔料の凝集及び凝集速度に影響し、それ故、顔料分散物は、光沢印刷媒体に適用されると、別々に分域し得るのである。
【００２９】
第１及び第２顔料分散物中の顔料は、第１顔料として自己分散性顔料を、第２顔料としてポリマー結合型顔料を用いる場合のように、異なる、即ち異類の様式で分散させることができる。あるいはまた、第１顔料分散物中の顔料をポリアクリレートにより分散させて、中和時に当該顔料が印刷媒体上で急速に凝集するようにしてもよい。第２顔料分散物の顔料は、印刷媒体のｐＨ範囲では中和されないスルホネートを用いて分散させてもよい。それ故、スルホネートにより分散された顔料は、比較的ゆっくりと凝集することができる。加えて、各々の顔料分散物において、異なる種類の顔料を同じ様式で分散させてもよい。単なる例示として挙げれば、第１顔料分散物の顔料にはカーボンブラックを用いることができ、第２顔料分散物の顔料には無機顔料を用いることができる。
【００３０】
第１及び第２顔料分散物には、種類は同じであるが、粒径、粒径分布あるいは形態のうち少なくとも１つが異なる顔料を用いることもできる。色の異なる顔料を用いることもできる。しかしながら、異なる色の顔料を用いると、印刷媒体上で色相勾配を生ずる場合があり、これは制御するのが困難である。各々の顔料分散物における顔料の粒径は、約１ｎｍ〜約３００ｎｍの範囲とし得る。加えて、第１顔料分散物の顔料と第２顔料分散物の顔料の粒径の比は、約３：１より大きくすることができる。言い換えれば、第１顔料分散物中の顔料は、第２顔料分散物中の顔料の粒径より少なくとも３倍大きい粒径を有し得る。単なる例示として挙げれば、第１顔料には粒径１５０ｎｍのカーボンブラックを用いることができ、一方、第２顔料には粒径３０ｎｍのカーボンブラックを用いることができる。
【００３１】
顔料分散物の拡散特性はまた、異なる形態（形状）の顔料を用いることによって変化させ得る。例えば、球状形態の顔料は、針状結晶のような大きいアスペクト比を有する顔料よりも、安定にコロイド状態を維持し得る。従って、球状形態の顔料は、印刷媒体上で急速に沈殿はせず、インクジェットインク中に溶解状態で比較的長い間留まることができる。加えて、α、β又はγ結晶形態の顔料フタロシアニンのような、異なる結晶形態の顔料を、各々の顔料分散物に用いることができる。異なる結晶形態の顔料は異なる粒径を有し得、これが次には、顔料分散物のコロイド安定性に影響を及ぼすのである。一般に、比較的高密度の結晶形態の顔料は、比較的低密度の結晶形態のものよりも、コロイド状態での安定性が低い。
【００３２】
複数の顔料分散物を用いることによって、様々な種類の印刷媒体にわたって改善された印刷品質がもたらされるのに加えて、インクジェットインクの流動学的諸性質を変性させることができる。例えば、本発明のインクジェットインクは、１つの顔料分散物を含有するインクジェットインクと比較して、低い粘度を示し得る。その粘度の低さ故、本発明のインクジェットインクは、比較的高い周波数にてインクジェットペンから射出することができる。その粘度の低さによって、インクジェットペンの信頼性を改善することもできる。当該インクジェットインクはまた、従来のインクジェットインクに較べて、短い時間で乾燥することができる。
【００３３】
１つの顔料分散物を含有するブラックインクジェットインクを普通紙用として調合する場合、印刷画像のＯＤを高めるために高構造並びに大きい凝集粒径を有するカーボンブラックを選択することになるであろう。しかしながら、当該ブラックインクジェットインクを光沢印刷媒体上に印刷すると、印刷された画像は、光沢印刷媒体表面におけるカーボンブラックの急速な沈殿に起因して、不十分な光沢、大きい表面粗さ、及び低い耐久性を示すことになる。本発明のインクジェットインクのように、第１顔料分散物より小さい粒径並びに低構造を有する第２顔料分散物を含有するようブラックインクジェットインクを調合すると、当該第２顔料分散物は、第１顔料分散物よりゆっくりと凝集して、乾燥時の膜の水平化（レベリング）を改善するであろう。このように、本発明のインクジェットインクは、普通紙及び光沢印刷媒体の両方に関して、改善された印刷品質をもたらすであろう。
【００３４】
本発明の一実施形態では、インクジェットインクの第１顔料分散物中の顔料は、高構造、並びに約１５０ｎｍの大きい粒径を有するカーボンブラックである。単なる例示として挙げれば、Ｍｏｎａｒｃｈ  ７００（カボット社から入手可能）又はＦＷ１８（デグッサ社から入手可能）を顔料として用いることができる。第１顔料は、ポリマー結合型顔料あるいは自己分散性顔料とし得る。第１顔料がポリマー結合型顔料である場合、それは、スチレンアクリレートの結合した顔料とし得る。スチレンアクリレートは、ジョンソンポリマー社から入手可能なＪｏｎｃｒｙｌ（登録商標）６７のように、酸価２１０並びに分子量１２，５００を有し得る。第２顔料もカーボンブラックではあるが、低構造と、約４０ｎｍの小さい粒径を有するカーボンブラックである。単なる例示として挙げれば、当該顔料には、Ｂｌａｃｋ  Ｐｅａｒｌｓ（登録商標）１１００を用いることができる。第２顔料は、スルホン化カーボンブラックなどの自己分散性顔料、又はポリマー結合型顔料を用いることができる。
【００３５】
当該インクジェットインクを普通紙に適用すると、良好な印刷品質が得られる。当該インクジェットインクを光沢印刷媒体に適用する場合は、第１顔料と第２顔料は、別々に分域、即ち分離する。第２顔料は、第１顔料より小さく且つコロイド状態で安定であるため、第２顔料は、第１顔料よりゆっくりと凝集し得る。その結果、フラッディング現象（極性や比重の異なる顔料を併用した場合に起こる色の分離現象）に起因して、第１顔料と第２顔料を、印刷媒体上に形成された膜内において不均一に分布させることができる。特定の理論に捉われるわけではないが、第２顔料のフラッディングによって光沢印刷媒体上の印刷品質が高まるものと考えられる。第２顔料は、光沢印刷媒体上における画像の水平化を増進し、より均一な画像膜を生成するものと考えられる。
【００３６】
このように、当該インクジェットインクの普通紙上における性能は、第１顔料分散物のみを含有するインクジェットインクのそれと類似しているかも知れない。第１顔料を普通紙の表面近傍に保持することで、印刷画像のＯＤを改善することができ且つフェザリングを軽減させることができる。しかし、当該インクジェットインクが光沢印刷媒体上に付着する場合には、その印刷画像の光沢は、第１顔料分散物のみを含有するインクジェットインクで印刷された画像と較べて、大幅に改善される。このように、本発明のインクジェットインクは、普通紙及び光沢印刷媒体などの様々な種類の印刷媒体にわたって、印刷品質の向上した印刷画像をもたらすことができる。
【００３７】
当該インクジェットインクはまた、第１顔料分散物のみを含有するインクジェットインクに較べて、改善された耐久性をもたらすことができる。上述のように、比較的ゆっくりとした凝集を示す第２顔料分散物を、フッ素化化合物あるいはシリコーン系材料などの疎水性又は湿潤し難い（ｐｏｏｒｌｙ−ｗｅｔｔｉｎｇ）成分によりさらに修飾することができる。水平化の間、第２顔料は、別々に分域して膜を形成するため、当該膜上の湿潤し難い成分の量を増やすことができる。これによって、印刷画像の水及び摩擦負荷に対する耐性が改善され、印刷画像の耐久性を高めることができるのである。
【００３８】
他の実施形態では、化学的及び物理的に異なる複数の領域を有する印刷媒体において改善された印刷品質を呈すインクジェットインクを提供する。当該インクジェットインクは、普通紙のような、複数の領域を有する単一の印刷媒体に関して、改善された印刷品質をもたらすよう調合することができる。本実施形態では、第１顔料分散物は、普通紙の第１領域上で性能が最適化となるよう調合することができ且つ第２顔料分散物は、普通紙の第２領域上で性能が最適となるよう調合することができる。普通紙の当該領域には、限定はしないが、セルロース領域、サイジング剤領域、又は無機顔料領域（炭酸カルシウム領域など）が含まれる。
【００３９】
第１及び第２顔料分散物の顔料には、上述のように、カーボンブラック、有機顔料、ホワイト無機顔料、カラー無機顔料、又はそれらの混合物などの、在来の顔料を用いることができる。例えば、第１及び第２両方の顔料分散物中の顔料が、Ｍｏｎａｒｃｈ  ７００（カボット社）又はＦＷ１８（デグッサ社）などのように、大きい粒径及び高構造のうち少なくとも１つを有することができる。第１顔料分散物と第２顔料分散物とは、インクジェットインク中に約１：４〜約４：１の範囲の比率にて存在し得る。一実施形態では、第１顔料分散物と第２顔料分散物は、１：１の比率で存在する。
【００４０】
各々の顔料分散物は、各々の顔料を異類の様式で分散させることにより、普通紙上の異なる領域と相互作用するよう調合することができる。単なる例示として挙げれば、第１顔料分散物は、普通紙上のセルロース領域と相互作用するよう調合し、第２顔料分散物は、炭酸カルシウム領域と相互作用するよう調合することができる。セルロール領域との相互作用を高めるために、第１顔料分散物中の顔料をサッカリド、アミド、及びそれらのポリマーで修飾することができる。あるいはまた、第１顔料分散物は、ＰＥＩあるいはペンタエチレンヘキサミン（ＰＥＨＡ）などのアニオン変性ポリアミンを含有することができ、この場合、アニオン変性は、酢酸無水物、コハク酸無水物、及びコハク酸アリール無水物などのアシル化剤によって誘導される。炭酸カルシウム領域と相互作用させるために、第２顔料分散物中の顔料にポリアクリレートを結合させることができる。ジョンソンポリマー社から入手可能なものなどのスチレンアクリルを第２顔料分散物中の顔料に結合させてもよい。一実施形態では、第１及び第２顔料分散物の各々において分散している顔料は、ポリマー結合型顔料とし得る。
【００４１】
様々な領域において印刷品質の改善を実現するために、上述のような、種々の顔料分散物を用いることができる。単なる例示として挙げれば、第１顔料分散物中の顔料は、当該顔料分散物を印刷媒体上のセルロース領域と相互作用させ得る分散剤を有し、一方、第２顔料分散物中の顔料は、それを印刷媒体上の炭酸カルシウム領域と相互作用させ得る分散剤を有することができる。
【００４２】
一実施形態では、第１顔料は、高構造並びに大きい粒径を有するカーボンブラックである。例えば、第１顔料には、約１５０ｎｍの粒径を有する、Ｍｏｎａｒｃｈ  ７００（カボット社）又はＦＷ１８（デグッサ社）を用いることができる。第１顔料には、ポリマー結合型顔料を用いることもできる。第１顔料を分散させるために、第１顔料分散物は、第１顔料に共有結合するアニオン変性ＰＥＩを用いることができる。第２顔料もまた、Ｍｏｎａｒｃｈ  ７００（カボット社）又はＦＷ１８（デグッサ社）のような、高構造並びに大きい粒径を有するカーボンブラックとすることができ、また、ポリマー結合型顔料とすることもできる。第２顔料分散物は、第２顔料に共有結合する、Ｊｏｎｃｒｙｌ（登録商標）６７を用いることができる。従って、各々の顔料分散物の顔料は、異類の様式で分散している。
【００４３】
当該インクジェットインクを普通紙に適用すると、第１顔料は、それが親和性を有する領域と相互作用することができる。同様に、第２顔料は、それが親和性を有する領域と相互作用することができる。このようにして、第１及び第２顔料の総合的な凝集速度を高めることができる。従って、第１及び第２顔料は普通紙の表面上に留まることができ、印刷画像のＯＤが改善される。対照的に、第１顔料分散物などの顔料分散物を１つのみ含有するインクジェットインクを印刷媒体に適用する場合は、印刷品質が低下し得る。
【００４４】
当該インクジェットインクは、顔料分散物の他に、水と少なくとも１つの水溶性有機溶媒とから形成されるインクビヒクルを含有することができる。インクジェットインクにおける使用に適する有機溶媒は、当分野で周知であり、従って、ここでは、詳細に説明しない。インクジェットインクに存在する顔料の量（第１顔料及び第２顔料の量）は、約０．１ｗｔ％〜約１５ｗｔ％の範囲とし得る。当該インクジェットインクはまた、界面活性剤、湿潤剤（ｈｕｍｅｃｔａｎｔ）、緩衝剤、殺生物剤、浸潤剤（ｗｅｔｔｉｎｇ  ａｇｅｎｔ）、防腐剤、可溶化剤、酸化防止剤、腐食抑制剤、紫外線吸収剤のうち少なくとも１つの、任意成分を含有することもできる。これらの成分は、もし含有させる場合には、本発明のインクジェットインクのために当業者であれば容易に選択し得るであり、従って、ここでは詳細に説明しない。
【００４５】
本発明のインクジェットインクを形成するために、各々の顔料分散物を別々に調製することができる。次いで、当該顔料分散物を組み合わせてインクジェットインクを形成することができる。組み合わせる際、当該顔料分散物は、それらの異なる分散特性などの、それらの各々の諸性質を維持することができる。各々の顔料分散物を組み合わせる前に、又は顔料分散物を組み合わせた後で、当該インクジェットインクを精製することができる。
【００４６】
これまで例示目的で本発明の特定の実施形態を示し且つ詳細に説明してきたが、種々の修正及び変更を施すことができる。開示した特定な実施形態に本発明を限定しようとする意のないことを理解されたい。本発明は、添付の特許請求の範囲に定義される本発明の趣旨及び範囲内に帰属する全ての修正、等価物、並びに代替物を網羅するものとする。